Podtech/llm-jp-corpus-v4-ja_patent huggingface dataset:
【手続補正書】
【提出日】平成20年12月25日(2008.12.25)
【手続補正１】
【補正対象書類名】特許請求の範囲
【補正対象項目名】全文
【補正方法】変更
【補正の内容】
【特許請求の範囲】
【請求項１】
入力ディジタル画像のシーケンスを捕捉する段階；
前記入力ディジタル画像から、対応するアーカイバル画像のシーケンス及び対応する表示画像のシーケンスを生成する段階；
安定化アーカイバル画像シーケンスを与えるように、前記アーカイバル画像シーケンスを自動的に安定化する段階；
安定化表示画像シーケンスを与えるように、前記アーカイバル画像の前記安定化と異なるように前記表示画像シーケンスを自動的に安定化する段階；
を有する画像シーケンス安定化方法。
【請求項２】
画像のシーケンスを捕捉するための手段；
第１コピー及び第２コピーを与えるように前記画像シーケンスを複製するための手段；
表示シーケンスを与えるように前記第１コピーを自動的に、ディジタル的に安定化し、アーカイバルシーケンスを与えるように前記第１コピーと異なるように前記第２コピーを自動的に、ディジタル的に安定化する手段；
前記捕捉する段階と同時に前記表示画像シーケンスを表示するディスプレイ；並びに
前記アーカーバルシーケンスを自動的に圧縮するエンコーダ；
を有する画像シーケンス安定化システム。  
【請求項３】
入力画像のシーケンスを捕捉する電子イメージャ；
アーカイバル画像シーケンス及び表示画像シーケンスを与えるように前記入力画像のシーケンスを複製する複製器；
前記アーカイバル画像シーケンスを記憶するメモリ；
前記表示画像シーケンスを受信するための制御ユニットであって、前記制御ユニットは、安定化表示画像シーケンスを与えるように前記表示画像シーケンスを安定化する表示シーケンス安定化器を有する、制御ユニット；並びに
前記捕捉中に前記安定化表示画像シーケンスを表示するためのディスプレイ；
を有するカメラであって、
前記制御ユニットは、前記表示する段階に後続して前記表示画像シーケンスを自動的に削除する；
カメラ。
【手続補正書】
【提出日】平成21年4月3日(2009.4.3)
【手続補正１】
【補正対象書類名】特許請求の範囲
【補正対象項目名】全文
【補正方法】変更
【補正の内容】
【特許請求の範囲】
【請求項１】
番組ガイドを提供する方法であって、
現在の時間を含む第一の時間インターバルをカバーする番組情報を含む前記番組ガイドの一部の表示をイネーブルにするステップと、前記番組ガイドは、第一の軸で時間情報を
有し、第二の軸でチャネル情報を有し、
経過した時間が第二の時間インターバルに等しい場合に前記第二の時間インターバルだけ前記第一の軸に沿って前記番組情報をシフトさせるステップとを含み、
前記第二の時間インターバルは３０分よりも短い、
ことを特徴とする方法。
【請求項２】
番組ガイドを提供する装置であって、
前記番組ガイドをイネーブルにするデータを記憶するメモリ手段と、
現在の時間を含む第一の時間インターバルをカバーする番組情報を含む前記番組ガイドの一部の表示を可能にする処理手段と、前記番組ガイドは、第一の軸で時間情報を有し、
第二の軸でチャネル情報を有し、
前記処理手段は、経過した時間が前記第二の時間インターバルに等しい場合に第二の時
間インターバルにより前記第一の軸に沿って前記番組情報をシフトさせ、前記第二の時間
インターバルは、３０分よりも短い、
ことを特徴とする装置。
【手続補正書】
【提出日】平成21年5月22日(2009.5.22)
【手続補正１】
【補正対象書類名】特許請求の範囲
【補正対象項目名】全文
【補正方法】変更
【補正の内容】
【特許請求の範囲】
【請求項１】
装置からユーザ装置へ，ダウンリンク方向のデータを供給するために無線通信リンクを適応させるステップと，
前記無線通信リンクを適応させる際に前記装置を支援するために干渉源に関する情報を含むメッセージを，前記ユーザ装置から前記装置が受信するステップであって，前記干渉源に関する情報は前記干渉の時間位置を含むステップと，
を有する方法。
【請求項２】
前記干渉源に関する情報は，前記干渉の周期性に関する情報を含む請求項１に記載の方法。
【請求項３】
前記干渉源に関する情報は，干渉開始点を含む請求項１に記載の方法。
【請求項４】
前記干渉源に関する情報は，干渉間隔を含む請求項１に記載の方法。
【請求項５】
前記干渉源に関する情報は，干渉バースト長を含む請求項１に記載の方法。
【請求項６】
前記干渉周期性に関する情報は，該干渉周期性が未知のとき，１又は複数の零値を含む請求項２に記載の方法。
【請求項７】
装置であって，
前記装置からユーザ装置へ，ダウンリンク方向のデータを供給するために無線通信リンクを適応させるように構成した回路を備え，
前記装置は，前記無線通信リンクを適応させる際に前記装置を支援するために干渉源に関する情報を含むメッセージを，前記ユーザ装置から受信するように構成し，
前記干渉源に関する情報は前記干渉の時間位置を含む装置。
【請求項８】
前記干渉源に関する情報は，前記干渉の周期性に関する情報を含む請求項７に記載の装置。
【請求項９】
前記干渉源に関する情報は，干渉開始点を含む請求項７に記載の装置。
【請求項１０】
前記干渉源に関する情報は，干渉間隔を含む請求項７に記載の装置。
【請求項１１】
前記干渉源に関する情報は，干渉バースト長を含む請求項７に記載の装置。
【請求項１２】
前記干渉周期性に関する情報は，該干渉周期性が未知のとき，１又は複数の零値を含む請求項８に記載の装置。
【請求項１３】
無線ネットワーク内の干渉源を検出するステップと，
前記干渉源に関する情報を含むメッセージを装置へ送信するステップであって，前記干渉源に関する情報は前記干渉の時間位置を含むステップと，
を有する方法。
【請求項１４】
前記干渉源に関する情報は，前記干渉の周期性に関する情報を含む請求項１３に記載の方法。
【請求項１５】
前記干渉源に関する情報は，干渉開始点を含む請求項１３に記載の方法。
【請求項１６】
前記干渉源に関する情報は，干渉間隔を含む請求項１３に記載の方法。
【請求項１７】
前記干渉源に関する情報は，干渉バースト長を含む請求項１３に記載の方法。
【請求項１８】
前記干渉周期性に関する情報は，該干渉周期性が未知のとき，１又は複数の零値を含む請求項１４に記載の方法。
【請求項１９】
装置であって，
無線ネットワーク内の干渉源を検出するように構成した処理モジュールを備え，
前記装置は前記干渉源に関する情報を含むメッセージをほかの装置へ送信するように構成し，前記干渉源に関する情報は前記干渉の時間位置を含む装置。
【請求項２０】
前記干渉源に関する情報は，前記干渉の周期性に関する情報を含む請求項１９に記載の装置。
【請求項２１】
前記干渉源に関する情報は，干渉開始点を含む請求項１９に記載の装置。
【請求項２２】
前記干渉源に関する情報は，干渉間隔を含む請求項１９に記載の装置。
【請求項２３】
前記干渉源に関する情報は，干渉バースト長を含む請求項１９に記載の装置。
【請求項２４】
前記干渉周期性に関する情報は，該干渉周期性が未知のとき，１又は複数の零値を含む請求項２０に記載の装置。
【請求項２５】
装置であって，
無線ネットワーク内の干渉源を検出する手段と，
前記干渉源に関する情報を含むメッセージをほかの装置へ送信する手段と，
を備え，前記干渉源に関する情報は前記干渉の時間位置を含む装置。
【手続補正書】
【提出日】平成21年5月18日(2009.5.18)
【手続補正１】
【補正対象書類名】特許請求の範囲
【補正対象項目名】全文
【補正方法】変更
【補正の内容】
【特許請求の範囲】
【請求項１】
主ネットワーク及び補助ネットワークを備えた通信ネットワークを動作させる方法であって、各々が前記主ネットワークを介してデータを送受信することができる複数の主局と、前記主ネットワーク及び前記補助ネットワークの両方を介してデータを送受信することができる複数のブリッジ局と、各々が前記補助ネットワークを介してデータを送受信することができる複数の補助局とを備え、メッセージデータを発信局から宛先局に、少なくとも１つの便宜的に選択される中間局を介して送信するよう動作可能である通信ネットワークを動作させる方法であって、
前記複数のブリッジ局の各々において、前記主ネットワーク及び前記補助ネットワークの両方における他の局のアクティビティをモニタして、前記発信局から前記宛先局へのメッセージデータの前方送信に関して中間局の利用可能性を確立するステップと、
前記補助ネットワークを介して前記少なくとも１つのブリッジ局から該補助ネットワーク上の局にプローブ信号を送信するステップであって、該プローブ信号は前記補助ネットワーク上の少なくとも１つの局にアドレス指定されている、送信するステップと、
前記少なくとも１つのブリッジ局から前記プローブ信号を受信する前記補助ネットワーク上の前記局から、接続性データを含む応答信号を送信して、前記メッセージデータの前記宛先局への前方送信に対し中間局として利用可能な前記補助ネットワーク上の少なくとも１つの局を識別するステップと、
前記メッセージデータを前記発信局から前記宛先局へ、前記少なくとも１つのブリッジ局を含む前記少なくとも１つの便宜的に選択された中間局を介して送信するステップと、
を含むことを特徴とする通信ネットワークを動作させる方法。
【手続補正書】
【提出日】平成20年12月25日(2008.12.25)
【手続補正１】
【補正対象書類名】特許請求の範囲
【補正対象項目名】全文
【補正方法】変更
【補正の内容】
【特許請求の範囲】
【請求項１】
同じ結合情報で暗号化されたタイトル鍵の論理パーティションを用いて、暗号化されたコンテンツを管理するための方法であって、
コンテンツ・プロバイダ・サービスにより格納された準拠デバイス上のコンテンツへのアクセスを要求するステップと、
要求されたコンテンツがその一員であるコンテンツ・パーティションを識別するステップと、
識別されたパーティションについてのコンテンツ結合コンテキストを取得するステップと、
前記デバイスについての結合情報の最新セットを結合コンテキストが表しているかどうかを決定するステップと、
前記コンテンツ結合コンテキストを用いて結合情報を復元するステップと、
タイトル鍵を現在のクラスタ結合情報レベルに再結合することを考慮するステップと、を含む、
方法。
【請求項２】
前記結合情報が現在のものであり、
暗号化されたコンテンツをコンテンツ結合サービスに返すステップと、
タイトル鍵を復号するステップと、
前記復号されたタイトル鍵でコンテンツを復号するステップと、
復号されたコンテンツを前記デバイス上のレンダリング・サービスに提供するステップと、を含む、
請求項１に記載の方法
【請求項３】
前記結合情報が期限切れであり、
期限切れの結合情報で暗号化されたタイトル鍵がコンテンツ結合サービスにより再暗号化されることを要求するステップと、
前記期限切れの結合情報を用いてタイトル鍵を復号するステップと、
クラスタについての結合情報の現在のセットでタイトル鍵を再暗号化するステップと、
前記再暗号化されたタイトル鍵および現在の結合コンテキストをコンテンツ・プロバイダに返すステップと、
前記再暗号化されたタイトル鍵を現在のパーティションへ再パーティションするステップと、を含む、
請求項２に記載の方法。
【請求項４】
前記コンテンツ・プロバイダ・サービスが、現在のコンテンツ・コンテキストを有するパーティションを識別し、
前記暗号化されたコンテンツおよび新しく暗号化されたタイトル鍵を、現在のコンテンツ結合コンテキストを有するパーティションと関連付けるステップと、
前記暗号化されたコンテンツと期限切れの暗号化されたタイトル鍵との関連付けを以前のパーティションから除去するステップと、
期限切れとして要求されたコンテンツが切り離された以前のパーティション中の残る暗号化されたコンテンツおよびタイトル鍵をマーキングするステップと、
期限切れのコンテンツ結合コンテキストでマーキングされたパーティション内の残る暗号化されたコンテンツおよび暗号化されたタイトル鍵を監視するステップと、を含む、
請求項３に記載の方法。
【請求項５】
前記コンテンツ結合サービスは、前記コンテンツ・プロバイダ・サービスが結合変化のリアルタイム決定を提供するための通知システムを含む、請求項４に記載の方法。
【請求項６】
ユーザが、コンテンツ結合サービスの通知システムによる通知の時点で、タイトル鍵を再結合し、それらを新しく作成されたパーティションに移動させることを選ぶことができる、請求項５に記載の方法。
【請求項７】
ユーザが、コンテンツ結合サービスの通知システムによる通知の時点で、タイトル鍵を再結合することを延期し、将来の更新期間のためにコンテンツにフラグを立てることを選ぶことができる、請求項５に記載の方法。
【請求項８】
同じ結合情報で暗号化されたタイトル鍵の論理パーティションを用いて、暗号化されたコンテンツを管理するためのシステムであって、
コンテンツ・プロバイダ・サービスにより格納された準拠デバイス上のコンテンツへのアクセスを要求するための手段と、
要求されたコンテンツがその一員であるコンテンツ・パーティションを識別するための手段と、
識別されたパーティションについてのコンテンツ結合コンテキストを取得するための手段と、
前記デバイスについての結合情報の最新セットを結合コンテキストが表しているかどうかを決定するための手段と、
前記コンテンツ結合コンテキストを用いて結合情報を復元するための手段と、
タイトル鍵を現在のクラスタ結合情報レベルに再結合することを考慮するための手段と、を含む、
システム。
【請求項９】
前記結合情報が現在のものであり、
暗号化されたコンテンツをコンテンツ結合サービスに返すための手段と、
タイトル鍵を復号するための手段と、
前記復号されたタイトル鍵でコンテンツを復号するための手段と、
復号されたコンテンツを前記デバイス上のレンダリング・サービスに提供するための手段と、を含む、
請求項８に記載のシステム。
【請求項１０】
前記結合情報が期限切れであり、
期限切れの結合情報で暗号化されたタイトル鍵がコンテンツ結合サービスにより再暗号化されることを要求するための手段と、
前記期限切れの結合情報を用いてタイトル鍵を復号するための手段と、
クラスタについての結合情報の現在のセットでタイトル鍵を再暗号化するための手段と、
前記再暗号化されたタイトル鍵および現在の結合コンテキストをコンテンツ・プロバイダに返すための手段と、
前記再暗号化されたタイトル鍵を現在のパーティションへ再パーティションするための手段と、を含む、
請求項９に記載のシステム
【請求項１１】
前記コンテンツ・プロバイダ・サービスが、現在のコンテンツ・コンテキストを有するパーティションを識別し、
前記暗号化されたコンテンツおよび新しく暗号化されたタイトル鍵を、現在のコンテンツ結合コンテキストを有するパーティションと関連付けるための手段と、
前記暗号化されたコンテンツと期限切れの暗号化されたタイトル鍵との関連付けを以前のパーティションから除去するための手段と、
期限切れとして要求されたコンテンツが切り離された以前のパーティション中の残る暗号化されたコンテンツおよびタイトル鍵をマーキングするステップと、
期限切れのコンテンツ結合コンテキストでマーキングされたパーティション内の残る暗号化されたコンテンツおよび暗号化されたタイトル鍵を監視するための手段と、を含む、
請求項１０に記載のシステム
【請求項１２】
前記コンテンツ結合サービスは、前記コンテンツ・プロバイダ・サービスが結合変化のリアルタイム決定を提供するための通知システムを含む、請求項１１に記載のシステム。
【請求項１３】
ユーザが、コンテンツ結合サービスの通知システムによる通知の時点で、タイトル鍵を再結合し、それらを新しく作成されたパーティションに移動させることを選ぶことができる、請求項１２に記載のシステム。
【請求項１４】
ユーザが、コンテンツ結合サービスの通知システムによる通知の時点で、タイトル鍵を再結合することを延期し、将来の更新期間のためにコンテンツにフラグを立てることを選ぶことができる、請求項１２に記載のシステム
【請求項１５】
請求項１乃至７のいずれか１項に記載の方法の各ステップをコンピュータに実行させるためのコンピュータ・プログラム
【手続補正書】
【提出日】平成21年5月1日(2009.5.1)
【手続補正１】
【補正対象書類名】特許請求の範囲
【補正対象項目名】全文
【補正方法】変更
【補正の内容】
【特許請求の範囲】
【請求項１】
以下のステップ(a)〜(d)を含む微生物細胞の処理方法：
(a)微生物細胞を自己消化させて微生物細胞壁を解離させるステップ；
(b)微生物細胞壁を外因性プロテアーゼと共にインキュベートするステップ；
(c)微生物細胞壁をグルカンに富む成分とマンナンに富む成分とに分けるステップ；及び
(d)ステップ(c)のマンナンに富む成分を限外濾過して濾液と保持液とを生じさせるステップ。
【請求項２】
微生物が酵母、真菌、細菌又は植物の少なくとも1種を含む、請求項1に記載の方法。
【請求項３】
微生物細胞が酵母細胞を含む、請求項1に記載の方法。
【請求項４】
ステップ(b)のプロテアーゼをステップ(c)の前に不活化する、請求項1に記載の方法。
【請求項５】
ステップ(b)のインキュベーションをpH 9〜10で、かつ50℃〜65℃の温度で実施する、請求項1に記載の方法。
【請求項６】
保持液がマンナンを含み、かつ該マンナンの少なくとも85％(w/w)は少なくとも10,000Daの分子量を有する、請求項1に記載の方法。
【請求項７】
ステップ(a)をpH 4〜8で実施する、請求項1に記載の方法。
【請求項８】
ステップ(a)を24〜36時間実施する、請求項1に記載の方法。
【請求項９】
ステップ(a)を35℃〜55℃の温度で実施する、請求項1に記載の方法。
【請求項１０】
ステップ(c)のグルカンに富む成分を動物飼料に使用することをさらに含む、請求項1に記載の方法。
【請求項１１】
ステップ(b)のプロテアーゼ処理した細胞壁を動物飼料に使用することをさらに含む、請求項1に記載の方法。
【請求項１２】
ステップ(d)の濾液を動物飼料に使用することをさらに含む、請求項1に記載の方法。
【請求項１３】
ステップ(c)のグルカンに富む成分を食品サプリメント、医薬、化粧品及び栄養補助食品から選択される製品に使用することをさらに含む、請求項1に記載の方法。
【請求項１４】
ステップ(b)のプロテアーゼ処理した細胞壁を食品サプリメント、医薬、化粧品及び栄養補助食品から選択される製品に使用することをさらに含む、請求項1に記載の方法。
【請求項１５】
ステップ(c)のグルカンに富む成分を食品サプリメント、医薬、化粧品及び栄養補助食品から選択される製品に使用する際に、ステップ(d)の濾液を使用することをさらに含む、請求項1に記載の方法。
【請求項１６】
以下のステップ(a)〜(d)を含む酵母細胞の処理方法：
(a)酵母細胞を50℃〜65℃の温度で自己消化させて酵母細胞壁を解離させるステップ；
(b)細胞壁を外因性プロテアーゼと共にpH 9〜10でインキュベートするステップ； 
(c)ステップ(b)のプロテアーゼ処理した細胞壁を、アミラーゼ、リパーゼ及びそれらの組合せの少なくとも1つを含む酵素と共にインキュベートするステップ;及び
(d)ステップ(c)の酵素処理した細胞壁をグルカンに富む成分とマンナンに富む成分とに分けるステップ。
【請求項１７】
酵母細胞がビール酵母細胞を含む請求項16に記載の方法。
【請求項１８】
ステップ(c)の酵素で処理した細胞壁を動物飼料に使用することをさらに含む、請求項16に記載の方法。
【請求項１９】
ステップ(c)の酵素で処理した細胞壁を、食品サプリメント、医薬、化粧品及び栄養補助食品から選択される製品に使用することをさらに含む、請求項16に記載の方法。
【請求項２０】
ステップ(c)をpH 4〜6で実施する、請求項16に記載の方法。
【請求項２１】
ステップ(d)のグルカンに富む成分を動物飼料に使用することをさらに含む、請求項16に記載の方法。
【請求項２２】
ステップ(d)のグルカンに富む成分を、食品サプリメント、医薬、化粧品及び栄養補助食品から選択される製品に使用することをさらに含む、請求項16に記載の方法。
【請求項２３】
ステップ(d)のマンナンに富む成分を限外濾過して濾液と保持液とを生じさせるステップ(e)をさらに含む、請求項16に記載の方法。
【請求項２４】
保持液はマンナンを含み、かつ該マンナンの少なくとも85％（w/w）は少なくとも10,000Daの分子量を有する、請求項23に記載の方法。
【請求項２５】
ステップ(e)の濾液を動物飼料において使用することをさらに含む、請求項23に記載の方法。
【請求項２６】
ステップ(e)の濾液を、食品サプリメント、医薬、化粧品及び栄養補助食品から選択される製品に使用することをさらに含む、請求項23に記載の方法。
【請求項２７】
α-マンナンを含む組成物であって、全α-マンナンの少なくとも85％(w/w)が10,000Da以上の分子量を有する、前記組成物。
【請求項２８】
請求項27に記載の組成物を含む食品サプリメント、医薬、化粧品又は栄養補助食品。
【請求項２９】
請求項27に記載の組成物を含む動物飼料。
【請求項３０】
動物飼料がイヌ、ネコ、ブタ、魚又はウシの飼料である、請求項29に記載の動物飼料。
【手続補正書】
【提出日】平成21年4月13日(2009.4.13)
【手続補正１】
【補正対象書類名】特許請求の範囲
【補正対象項目名】全文
【補正方法】変更
【補正の内容】
【特許請求の範囲】
【請求項１】
Ａ）ポリ−γ−グルタミン酸生産能を有し、かつ電子伝達系阻害剤に耐性を有するバチルス属微生物を培地中で培養すること、および
Ｂ）培地からポリ−γ−グルタミン酸を採取すること、を含むポリ−γ−グルタミン酸の製造法。
【請求項２】
前記電子伝達系阻害剤がＮＡＤＨ−ユビキノンレダクターゼ阻害剤、コハク酸−ユビキノンレダクターゼ阻害剤、ユビキノール−シトクロムｃレダクターゼ阻害剤、シトクロムｃオキシダーゼ阻害剤およびそれらの組合せからなる群から選ばれる物質である、請求項１記載のポリ−γ−グルタミン酸の製造法。
【請求項３】
前記電子伝達系阻害剤が、テノイルトリフルオロアセトン（ＴＴＦＡ）、カプサイシン、アジ化ナトリウム、リドカイン、ヒドロキシルアミン、o-メチルヒドロキシルアミンおよびそれらの組合せからなる群から選ばれる物質である、請求項１記載のポリ−γ−グルタミン酸の製造法。
【請求項４】
前記微生物がバチルス・ズブチリスである請求項１〜３のいずれか一項に記載のポリ−γ−グルタミン酸の製造法。
【請求項５】
ポリ−γ−グルタミン酸生産能を有し、かつ電子伝達系阻害剤に耐性を有するように改変されたバチルス属に属する微生物。
【請求項６】
バチルス・ズブチリスである請求項５に記載の微生物。
【手続補正２】
【補正対象書類名】明細書
【補正対象項目名】０００７
【補正方法】変更
【補正の内容】
【０００７】
本発明の目的は、ポリ−γ−グルタミン酸生産能を有し、かつ電子伝達系阻害剤に耐性を有するバチルス属微生物を液体培地中で培養し、培地からポリ−γ−グルタミン酸を採取することを特徴とする、ポリ−γ−グルタミン酸の製造法を提供することである。
本発明の更なる目的は、前記電子伝達系阻害剤が、NADH-ユビキノンレダクターゼ阻害剤、コハク酸−ユビキノンレダクターゼ阻害剤、ユビキノール−シトクロムcレダクターゼ阻害剤、シトクロムcオキシダーゼ阻害剤、およびそれらの組合せからなる群から選ばれる物質である、前記ポリ−γ−グルタミン酸の製造法を提供することである。
本発明の更なる目的は、前記電子伝達系阻害剤が、テノイルトリフルオロアセトン（TTFA）、カプサイシン、アジ化ナトリウム、リドカイン、ヒドロキシルアミン、o−メチルヒドロキシルアミン、およびそれらの組合せからなる群から選ばれる物質である、前記ポリ−γ−グルタミン酸の製造法を提供することである。
本発明の更なる目的は、前記微生物がバチルス・ズブチリスである前記ポリ−γ−グルタミン酸の製造法を提供することである。
本発明の更なる目的は、ポリ−γ−グルタミン酸生産能を有し、かつ電子伝達系阻害剤に耐性を有するように改変したバチルス属に属する微生物を提供することである。
本発明の更なる目的は、バチルス・ズブチリスである前記微生物を提供することである。
本発明により、効率的なポリ−γ−グルタミン酸の製造方法が提供される。また、本発明により、電子伝達系阻害剤に耐性を有する新規細菌が提供され、この細菌を用いる、効率的なポリ−γ−グルタミン酸の製造が可能となる。
【手続補正書】
【提出日】平成21年4月7日(2009.4.7)
【手続補正１】
【補正対象書類名】特許請求の範囲
【補正対象項目名】全文
【補正方法】変更
【補正の内容】
【特許請求の範囲】
【請求項１】
植込み型レンズにおいて、
前面と、後面と、前面と後面との間に配置された端縁面とを有する本体を備え、該前面は、
矯正部分と、
矯正部分と端縁面との間に配置された斜角付き部分とを備える、植込み型レンズ。
【請求項２】
請求項１に記載のレンズにおいて、斜角付き部分は、第一の境界面にて前記矯正部分と当接し、また、第二の境界面にて前記端縁面と当接する、レンズ。
【請求項３】
請求項２に記載のレンズにおいて、前記斜角付き部分は、前記第一の境界面と前記第二の境界面との間にて平坦である、レンズ。
【請求項４】
請求項２に記載のレンズにおいて、前記斜角付き部分は、前記第一の境界面と前記第二の境界面との間にて湾曲している、レンズ。
【請求項５】
請求項２に記載のレンズにおいて、前記端縁面は、第三の境界面にて前記斜角付き部分と当接し、また、第四の境界面にて前記後面と当接する、レンズ。
【請求項６】
請求項５に記載のレンズにおいて、前記端縁面は、前記第三の境界面と前記第四の境界面との間にて平坦である、レンズ。
【請求項７】
請求項５に記載のレンズにおいて、前記端縁面は、前記第三の境界面と前記第四の境界面との間にて湾曲している、レンズ。
【請求項８】
請求項５に記載のレンズにおいて、前記端縁面は、
前記第三の境界面にて前記斜角付き部分と当接する第一の部分と、
前記第四の境界面にて前記後面と当接する第二の部分とを備え、該第一の部分は第五の境界面にて該第二の部分と当接する、レンズ。
【請求項９】
請求項８に記載のレンズにおいて、前記斜角付き部分は、前記第一の境界面と前記第二の境界面との間にて湾曲している、レンズ。
【請求項１０】
請求項９に記載のレンズにおいて、前記端縁面の前記第一の部分は、湾曲し、また、前記第三の境界面から前記第五の境界面まで前記後面に向けて収斂する、レンズ。
【請求項１１】
請求項１０に記載のレンズにおいて、前記端縁面の前記第二の部分は、前記第四の境界面と前記第五の境界面との間にて湾曲している、レンズ。
【請求項１２】
請求項１１に記載のレンズにおいて、前記端縁面の第二の部分は、実質的に０．０１５ミリメートル（ｍｍ）以下の端縁厚さを画成する、レンズ。
【請求項１３】
請求項１に記載のレンズにおいて、前記矯正部分は、
第一の曲率半径を有する第一の実質的に球形の部分と、
第二の曲率半径を有する第二の実質的に球形の部分と、を備える、レンズ。
【請求項１４】
請求項１３に記載のレンズにおいて、前記第一の実質的に球形の部分は、前記第二の実質的に球形の部分を取り囲むリング状部分である、レンズ。
【請求項１５】
請求項１３に記載のレンズにおいて、前記レンズは、眼内に植え込み得る形態とされ、前記第一の実質的に球形の部分は、眼から第一の距離にて視覚を助け得るような形態とされ、前記第二の実質的に球形の部分は、眼から第二の距離にて視覚を助け得るような形態とされ、該第一の距離は、該第二の距離よりも長い、レンズ。
【請求項１６】
請求項１３に記載のレンズにおいて、前記レンズは、眼内に植え込み得る形態とされ、前記第一の実質的に球形の部分は、眼から第一の距離にて視覚を助け得るような形態とされ、前記第二の実質的に球形の部分は、眼から第二の距離にて視覚を助け得るような形態とされ、該第一の距離は、該第二の距離よりも短い、レンズ。
【請求項１７】
請求項１に記載のレンズにおいて、前記矯正部分は、第一の実質的に非球形の部分と、第二の実質的に非球形の部分とを備える、レンズ。
【請求項１８】
請求項１７に記載のレンズにおいて、前記第一の実質的に非球形の部分は、前記第二の実質的に非球形の部分を取り囲むリング状部分である、レンズ。
【請求項１９】
請求項１に記載のレンズにおいて、前記本体は、老眼を治療する形態とされる、レンズ。
【請求項２０】
請求項１に記載のレンズにおいて、前記本体は、
第一の屈折率を有する第一の領域と、
第一の屈折率と異なる第二の屈折率を有する第二の領域とを備える、レンズ。
【請求項２１】
請求項２０に記載のレンズにおいて、前記第一の領域は、角膜を実質的に維持するのに十分な量の水及び栄養物に対して透過可能である、レンズ。
【請求項２２】
請求項２１に記載のレンズにおいて、前記第二の領域は、前記第一の領域よりも相対的に低い透過率を有する、レンズ。
【請求項２３】
請求項２０に記載のレンズにおいて、前記第二の領域は、流体及び栄養物に対して不透過性である、レンズ。
【請求項２４】
請求項２０に記載のレンズにおいて、前記第一の領域は、第一の重合系材料から成り、また、前記第二の領域は、第二の重合系材料から成り、該第一及び第二の領域は、互いに一体的に連結される、レンズ。
【手続補正書】
【提出日】平成21年3月18日(2009.3.18)
【手続補正１】
【補正対象書類名】特許請求の範囲
【補正対象項目名】全文
【補正方法】変更
【補正の内容】
【特許請求の範囲】
【請求項１】
配列番号２または配列番号３の１２９位に相当する位置に存在するアミノ酸の置換を含む変異体ＩＬ−１０ポリペプチド。
【請求項２】
前記ポリペプチドが、配列番号２または配列番号３の１２９位に相当する位置で生じるアミノ酸についてのセリンでの置換を含む、請求項１に記載のＩＬ−１０ポリペプチド。
【請求項３】
前記ポリペプチドが、配列番号２または配列番号３の１２９位でフェニルアラニンについてセリンでの置換を含む、請求項２に記載のＩＬ−１０ポリペプチド。
【請求項４】
前記ポリペプチドが、配列番号１のアミノ酸配列を含む、請求項３に記載のＩＬ−１０ポリペプチド。
【請求項５】
前記ポリペプチドが、配列番号１のアミノ酸配列からなる、請求項４に記載のＩＬ−１０ポリペプチド。
【請求項６】
被験体における神経障害性の疼痛を処置するための組成物であって、請求項１〜５のいずれか１項に記載のＩＬ−１０ポリペプチドの治療量を含む、組成物。
【請求項７】
被験体における神経変性疾患を処置するための組成物であって、請求項１〜５のいずれか１項に記載のＩＬ−１０ポリペプチドの治療量を含む、組成物。
【請求項８】
前記神経変性疾患が、アルツハイマー病、筋萎縮性側索硬化症（ルー・ゲーリック病）、パーキンソン病、多発性硬化症およびハンチントン病からなる群より選択される、請求項７に記載の組成物。
【請求項９】
被験体において炎症性疾患を処置するための組成物であって、請求項１〜５のいずれか１項に記載のＩＬ−１０ポリペプチドの治療量を含む、組成物。
【請求項１０】
前記炎症性疾患が、関節リウマチである、請求項９に記載の組成物。
【請求項１１】
組み換えアデノ随伴ウイルス（ＡＡＶ）ベクターであって：
１つ以上のＡＡＶ逆方向末端反復（ＩＴＲ）配列エレメントと；
請求項１〜５のいずれか１項に記載のＩＬ−１０ポリペプチドをコードするコード配列と；
標的細胞において該変異ＩＬ−１０をコードする配列の発現を指向するための制御エレメントと；
を包含するベクター。
【請求項１２】
被験体における炎症性疾患を処置するための組成物であって、請求項１〜５のいずれか１項に記載のＩＬ−１０ポリペプチドをコードする配列を含む核酸ベクターを含む、組成物。
【請求項１３】
前記ベクターが、プラスミドとして投与されることを特徴とする、請求項１２に記載の組成物。
【請求項１４】
前記ベクターが、ビリオンとして投与されることを特徴とする、請求項１２に記載の組成物。
【請求項１５】
前記ベクターがＡＡＶベクターである、請求項１４に記載の組成物。
【請求項１６】
免疫刺激性抗癌療法を受けている被験体を処置するための組成物であって、請求項１〜５のいずれか１項に記載のＩＬ−１０ポリペプチドを含み、該組成物は、該被験体に投与されて、これによって該ＩＬ−１０ポリペプチドが、１つ以上のサイトカインの放出であって、免疫刺激性抗癌療法に応答して、そうでなければ放出されるサイトカインの放出を抑制するように作用する、組成物。
【請求項１７】
被験体において神経障害性の疼痛を処置するための医薬の製造における請求項１〜５のいずれか１項に記載のＩＬ−１０ポリペプチドの使用。
【請求項１８】
被験体において神経変性疾患を処置するための医薬の製造における請求項１〜５のいずれか１項に記載のＩＬ−１０ポリペプチドの使用。
【請求項１９】
被験体において炎症性疾患を処置するための医薬の製造における請求項１〜５のいずれか１項に記載のＩＬ−１０ポリペプチドの使用。
【請求項２０】
被験体において炎症性疾患を処置するための医薬の製造における請求項１〜５のいずれか１項に記載のＩＬ−１０ポリペプチドをコードする配列を含む核酸ベクターの使用。
【請求項２１】
免疫刺激性抗ガン療法を受けている被験体を処置するための医薬の製造における請求項１〜５のいずれか１項に記載のＩＬ−１０ポリペプチドの使用であって、これによってＩＬ−１０ポリペプチドが、１つ以上のサイトカインの放出であって、免疫刺激性抗癌療法に応答して、そうでなければ放出されるサイトカインの放出を抑制するように作用する、使用。
【手続補正書】
【提出日】平成21年6月2日(2009.6.2)
【手続補正１】
【補正対象書類名】特許請求の範囲
【補正対象項目名】全文
【補正方法】変更
【補正の内容】
【特許請求の範囲】
【請求項１】
香味、濾過、又は風味材料などの特定媒体の所定容積を備えたシガレット喫煙用モジュラ物品であって、
前記シガレットの一端部を受けるように配置された第１の端部と、第２の端部とを有し、貫通通路が定められた外側スリーブ部材と、
前記外側スリーブの通路内に各々受けることが可能な複数の内側スリーブ部材と、
を備え、
前記内側スリーブ部材の各々は、前記内側スリーブ部材の通路内に所定容積を有する区画が設けられた貫通通路を定め、前記区画の所定容積は、前記複数の内側スリーブ部材の異なる内側スリーブ部材において異なっており、異なるシガレットの喫煙時には異なる容積の特定媒体を使用することができる、
ことを特徴とするモジュラ物品。
【請求項２】
香味、濾過、又は風味材料などの特定媒体の所定容積を備えたシガレット喫煙用モジュラ物品であって、
前記シガレットの一端部を受けるように配置された第１の端部と、第２の端部とを有し、貫通通路が定められた外側スリーブ部材と、
前記外側スリーブの通路内に受けることが可能な内側スリーブ部材と、
を備え、
前記内側スリーブ部材は、所定容積を有する区画を前記内側スリーブ部材の通路内に設けられた貫通通路を定め、前記区画の所定容積は、前記内側スリーブ部材の一部分の長さによって決定され、シガレット喫煙時には所定容積の特定媒体を使用することができる、ことを特徴とするモジュラ物品。
【請求項３】
マウスピースを更に備え、前記外側スリーブの第２の端部は、前記マウスピースを受けるように配置され、前記喫煙物品は、前記マウスピースにシガレットが挿入されたときに通常の着火端部シガレットの物理的感覚を有する、
ことを特徴とする請求項２に記載のモジュラ物品。
【請求項４】
前記外側スリーブの第２の端部は、前記物品用のマウスピースを提供する、
ことを特徴とする請求項２に記載のモジュラ物品。
【請求項５】
前記内側スリーブ部材は、第１の端部と第２の端部とを定め、前記区画は、前記内側スリーブ部材の第１の端部と第２の端部との間に設けられ、前記内側スリーブ部材は、前記外側スリーブの第１の端部から前記外側スリーブの第２の端部まで通る実質的に全ての流体が前記内側スリーブの区画を通過するように、前記外側スリーブの通路内に適切に受けられており、
前記モジュラ物品が更に、
前記内側スリーブ部材の第１の端部に隣接して受けられるように配置された第１の篩い部材と、
前記内側スリーブ部材の第１の端部に隣接して前記第１の篩いを保持するための手段と、
前記内側スリーブ部材の第２の端部に隣接して受けられるように配置された第２の篩い部材と、
前記内側スリーブ部材の第２の端部に隣接して前記第２の篩いを保持するための手段と、を備える、
ことを特徴とする請求項２に記載のモジュラ物品。
【請求項６】
前記外側スリーブの第２の端部は、シガレットフィルタを受けるように配置される、
ことを特徴とする請求項５に記載のモジュラ物品。
【請求項７】
前記内側スリーブ部材の区画の所定容積は、約０．０２５ｃｍ3〜約０．３ｃｍ3の間にある、
ことを特徴とする請求項２に記載のモジュラ物品。
【請求項８】
喫煙者にシガレット煙を送達するための貫通路を有するマウスピースと、
上流側端部でシガレットを受け且つ下流側端部でマウスピースを受けるように適合された外側スリーブと、
前記外側スリーブ内に個々に受けられるような大きさにされた複数の内側スリーブと、を備え、
前記内側スリーブは、シガレット煙が通過する区画が異なる大きさにされており、前記区画には、香味、濾過、及び／又は風味媒体が事前充填されているか、又は充填可能である、
ことを特徴とする喫煙キット。
【手続補正書】
【提出日】平成21年6月8日(2009.6.8)
【手続補正１】
【補正対象書類名】特許請求の範囲
【補正対象項目名】全文
【補正方法】変更
【補正の内容】
【特許請求の範囲】
【請求項１】
１８Ｓ配列を有する真核微生物であって、１８Ｓ配列が配列番号１で示される配列と少なくとも９４％の同一性を有する真核微生物。
【請求項２】
微生物が図２に示すプロフィールを有する不飽和脂肪酸を生産する、請求項１に記載の微生物。
【請求項３】
微生物がフィラム・ラビリンツロマイコタ由来である、請求項１に記載の微生物。
【請求項４】
微生物がラビリンツロマイセテス綱由来である、請求項１に記載の微生物。
【請求項５】
微生物がスラウストキトリダエ亜綱由来である、請求項１に記載の微生物。
【請求項６】
微生物がスラウストキトリアレス目由来である、請求項１に記載の微生物。
【請求項７】
微生物がスラウストキトリアセアエ科由来である、請求項１に記載の微生物。
【請求項８】
微生物がスラウストキトリウム属由来である、請求項１に記載の微生物。
【請求項９】
微生物がスラウストキトリウム種である、請求項１に記載の微生物。
【請求項１０】
微生物がスラウストキトリウム・アウレウムである、請求項１に記載の微生物。
【請求項１１】
微生物がスラウストキトリウム・ロゼウムである、請求項１に記載の微生物。
【請求項１２】
微生物がスラウストキトリウム・ストリアツムである、請求項１に記載の微生物。
【請求項１３】
微生物がシゾキトリウム属由来である、請求項１に記載の微生物。
【請求項１４】
微生物がシゾキトリウム種である、請求項１に記載の微生物。
【請求項１５】
微生物がオメガ−３またはオメガ−６脂肪酸を含む、請求項１に記載の微生物。
【請求項１６】
微生物がＤＨＡまたはＤＰＡを含む、請求項１に記載の微生物。
【請求項１７】
微生物が少なくとも２５ｗｔ％〜９０ｗｔ％の脂質または脂肪酸分画を生産する、請求項１に記載の微生物。
【請求項１８】
脂質がＤＨＡを含む、請求項１７に記載の微生物。
【請求項１９】
脂質組成物が１５ｗｔ％脂肪酸分画〜４５ｗｔ％脂肪酸分画のｎ−３ＤＨＡ、６ｗｔ％脂肪酸分画〜１５ｗｔ％脂肪酸分画のｎ−６ＤＰＡ、０ｗｔ％脂肪酸分画〜４ｗｔ％脂肪酸分画のｎ−３ＤＰＡおよび０ｗｔ％脂肪酸分画〜８ｗｔ％脂肪酸分画のｎ−３ＥＰＡを含む、請求項１７に記載の微生物。
【請求項２０】
微生物がスラウストキトリアセアエ科由来であり、ＡＴＣＣ受託番号ＰＴＡ−６２４５を有する、請求項１に記載の微生物。
【請求項２１】
１８Ｓ配列を有する真核微生物を含む組成物であって、１８Ｓ配列が配列番号１で示される配列に対し少なくとも９４％の同一性を有する組成物。
【請求項２２】
真核微生物がスラウストキトリアセアエ科由来であり、ＡＴＣＣ受託番号ＰＴＡ−６２４５を有する、請求項２１に記載の組成物。
【請求項２３】
１５ｗｔ％脂肪酸分画〜４５ｗｔ％脂肪酸分画のｎ−３ＤＨＡ、６ｗｔ％脂肪酸分画〜１５ｗｔ％脂肪酸分画のｎ−６ＤＨＡ、０ｗｔ％脂肪酸分画〜４ｗｔ％脂肪酸分画のｎ−３ＤＰＡおよび０ｗｔ％脂肪酸分画〜８ｗｔ％脂肪酸分画のｎ−３ＥＰＡを含む組成物。
【請求項２４】
脂質組成物の調製法であって、従属栄養培地中で請求項１の真核微生物を培養する工程と、脂質組成物を単離する工程とを含む調製法。
【請求項２５】
請求項２４に記載の方法で調製される脂質組成物。
【請求項２６】
請求項２５に記載の組成物を含む送達手段。
【請求項２７】
１次マイクロカプセルと搭載物質との凝集体を含み、各１次マイクロカプセルが１次殻を有するマイクロカプセルであって、搭載物質が請求項２５に記載の組成物を含み、１次殻でカプセル化され、凝集体が外殻でカプセル化されているマイクロカプセル。
【請求項２８】
請求項２１または２５に記載の組成物を含む栄養補助剤。
【請求項２９】
請求項２１または２５に記載の組成物を含む食品。
【請求項３０】
請求項２１または２５に記載の組成物を含む医薬製剤。
【手続補正書】
【提出日】平成21年5月7日(2009.5.7)
【手続補正１】
【補正対象書類名】特許請求の範囲
【補正対象項目名】全文
【補正方法】変更
【補正の内容】
【特許請求の範囲】
【請求項１】
容器の体積を取り囲む外壁（２）を有し、
該外壁（２）は、
気体または液体を該容器の体積の内部へ導入するためもしくは外部に抜き取るための入口（６）と、
該気体用または液体用の供給装置への接続管と
を備え、
該接続管は、
第１の軸（２３）に沿って延びる第１の部分（２２）と、
該第１の部分（２２）に接続され、該第１の軸（２３）に対してほぼ垂直な第２の軸（２５）に沿って延びる第２の部分（２４）と、
該第２の部分（２４）に接続され、該第１の軸（２３）に平行でかつ離間した第３の軸（２７）に沿って延びる第３の部分（２６）と
を備える、発酵槽容器（１）。
【請求項２】
前記第２の部分は、接合部を備える、請求項１に記載の発酵槽容器（１）。
【請求項３】
前記接合部は、入口弁（２８）を備える、請求項２に記載の発酵槽容器（１）。
【請求項４】
前記第３の部分（２６）は、前記容器の体積に接続されている、請求項１から３のうちの１項に記載の発酵槽容器（１）。
【手続補正書】
【提出日】平成21年5月20日(2009.5.20)
【手続補正１】
【補正対象書類名】明細書
【補正対象項目名】００１６
【補正方法】変更
【補正の内容】
【００１６】
本発明は、それ故に、上記に規定されたような少なくとも１種のオリゴヌクレオチド組成物を含むトランスフェクション組成物およびトランスフェクション剤または配合（formulation）にも関する。トランスフェクション剤または配合は、より特定的には、生細胞内にｄｓＯＮを導入し、かつ、細胞内にＲＮＡｉをメディエートするｄｓＯＮを遊離させるのに適した非ウイルス性送達システムである。
【手続補正書】
【提出日】平成20年10月30日(2008.10.30)
【手続補正１】
【補正対象書類名】明細書
【補正対象項目名】０００８
【補正方法】変更
【補正の内容】
【０００８】
田畑の最も面倒である部分に対応するよう（ｔｏ  ｓｕｐｐｌｙ  ｔｈｅ  ｍｏｓｔ  ｔｒｏｕｂｌｅｓｏｍｅ  ｐａｒｔｓ  ｏｆ  ａ  ｆｉｅｌｄ  ａｒｅａ）、適度にフィルター処理された水及び空気（及び使用される場合は添加剤）を与えるように農業用又は造園用細流潅漑システムを使用することは、慣習的である。例えば、ある範囲が立ち枯れ病の問題を示す場合、システム全体の供給は、全ての範囲が十分に供給されことを確実にするよう、増大される。これは、既に十分有している領域にとっては過剰供給となることを意味する。
【特許文献１】米国特許第６，１７３，５２６号明細書
【特許文献２】米国特許第９６５，８９５号明細書
【特許文献３】米国特許第１，９８９，４２７号明細書
【特許文献４】米国特許第３，３０２，４０８号明細書
【特許文献５】米国特許第３，７５７，４６９号明細書
【特許文献６】米国特許第３，９１７，１６６号明細書
【特許文献７】米国特許第３，９１７，１７４号明細書
【特許文献８】米国特許第４，９３０，９３４号明細書
【特許文献９】米国特許第５，１９２，０２７号明細書
【特許文献１０】米国特許第６，１７３，５２６号明細書
【特許文献１１】米国特許第６，２９０，４２９号明細書
【特許文献１２】米国特許第６，８９０，１２６号明細書
【特許文献１３】米国特許第６，９５９，８８２号明細書
【手続補正書】
【提出日】平成21年5月19日(2009.5.19)
【手続補正１】
【補正対象書類名】特許請求の範囲
【補正対象項目名】全文
【補正方法】変更
【補正の内容】
【特許請求の範囲】
【請求項１】
お茶を熱湯と接触させる抽出プロセスによって消費者が飲料を調製する目的のために、消費者に市販する準備ができている形態にあるブッシュティーであるブッシュティー製品であって、存在する前記ブッシュティーの少なくとも１０質量パーセントが、粉砕されたブッシュティーであり、ここで、前記粉砕されたブッシュティーの少なくとも５０質量パーセントが、０．５ミリメートルのメッシュスクリーンを通過するように選択された粒径を有し、少なくとも１０質量パーセントが、０．１５ミリメートルのメッシュスクリーンを通過する微粉形態にあることを特徴とするブッシュティー製品。
【請求項２】
存在する前記ブッシュティーの全てが微粉ブッシュティーであることを特徴とする請求項１記載のブッシュティー製品。
【請求項３】
前記粉砕されたブッシュティーに、ある割合の通常のブッシュティー製品が混ぜられていることを特徴とする請求項１記載のブッシュティー製品。
【請求項４】
前記ブッシュティー製品が、ゆるい茶葉のパッケージ（ばら包装）、または一度に１以上の所定の単位量を使用することを可能にする、小袋、ポッド、カプセルおよびティーバッグからなる群より選択される個々の小さなポーションのいずれかに包装されていることを特徴とする請求項１から３いずれか１項記載のブッシュティー製品。
【請求項５】
沢山のブッシュティー粒子の形態にあり、お茶を熱湯と接触させる抽出プロセスによって消費者が飲料を調製する目的のために、消費者に市販する準備ができている形態にあるブッシュティーであるブッシュティー製品であって、存在する前記ブッシュティー粒子の少なくとも５０質量パーセントが０．５ミリメートルのスクリーンを通過し、存在する前記粒子の少なくとも１０質量パーセントが０．１５ミリメートルのスクリーンを通過することを特徴とするブッシュティー製品。
【請求項６】
存在する前記ブッシュティー粒子の少なくとも７０質量パーセントが０．５ミリメートルのスクリーンを通過し、存在する前記粒子の少なくとも１５質量パーセントが０．１５ミリメートルのスクリーンを通過することを特徴とする請求項５記載のブッシュティー製品。
【請求項７】
従来の流通網により流通するのに適したブッシュティー製品の市販向けパッケージであって、その中に含まれるブッシュティー製品が請求項１から６いずれか１項記載のものであることを特徴とするパッケージ。
【請求項８】
お茶を熱湯と接触させる抽出プロセスによって消費者が飲料を調製する目的のために、消費者に市販する準備ができている形態にあるブッシュティーであるブッシュティー製品を調製する方法であって、滅菌された通常のブッシュティーに、その粒径を減少させるために、粉砕を施すことを特徴とする方法。
【請求項９】
前記粉砕が、存在する前記ブッシュティー粒子の少なくとも５０質量パーセントが０．５ミリメートルのスクリーンを通過し、存在する前記粒子の少なくとも１０質量パーセントが０．１５ミリメートルのスクリーンを通過するように前記ブッシュティーの粒径を減少させるために行われることを特徴とする請求項８記載の方法。
【請求項１０】
前記粉砕が、存在する前記ブッシュティー粒子の少なくとも７０質量パーセントが０．５ミリメートルのスクリーンを通過し、存在する前記粒子の少なくとも１５質量パーセントが０．１５ミリメートルのスクリーンを通過するように前記ブッシュティーの粒径を減少させるために行われることを特徴とする請求項９記載の方法。
【請求項１１】
請求項１から６いずれか１項記載のブッシュティー製品から比較的濃い飲料を調製する方法であって、エスプレッソコーヒーを生成するために用いられるプロセスと実質的に類似のプロセスにおいて、加圧下で多量の前記ブッシュティー製品に熱湯が通されることを特徴とする方法。
【手続補正書】
【提出日】平成21年1月8日(2009.1.8)
【手続補正１】
【補正対象書類名】特許請求の範囲
【補正対象項目名】全文
【補正方法】変更
【補正の内容】
【特許請求の範囲】
【請求項１】
ａ）腫瘍細胞の表面上に存在するネイティブ形態の前立腺特異的膜抗原に結合し、
ｂ）腫瘍細胞によって内在化でき、
ｃ）LNCAP細胞には強力に結合するが、前立腺膜特異的抗原の発現を欠く細胞には結合しないかごくわずかにのみ結合し、そして
ｄ）標識または細胞傷害性薬物と連結され、
ｅ）配列番号：１および／または配列番号：10および／または配列番号：20および／または配列番号：22のうちの少なくとも10個の連続アミノ酸の部分アミノ酸配列を含むことを特徴とする、
単離されたモノクローナル抗体またはその抗原結合部分。
【請求項２】
前記モノクローナル抗体（mAb）のPE蛍光強度（MFI）が抗原飽和において1000より高く、かつscFvのPE蛍光強度が抗原飽和において40より高いことを特徴とする、請求項１に記載の単離されたモノクローナル抗体またはその抗原結合部分。
【請求項３】
１nM〜120nMの間の濃度でPSMA部位のうち50%飽和に達するLNCAP細胞に対する高結合活性を示す、請求項１または２に記載の単離されたモノクローナル抗体またはその抗原結合部分。
【請求項４】
前記標識が放射線または蛍光線を放射する粒子であることを特徴とする、請求項１〜３のいずれかに記載の単離されたモノクローナル抗体またはその抗原結合部分。
【請求項５】
前記細胞傷害性薬物が、毒素からなる群、特にタキソール、緑膿菌外毒素の断片、サイトカラシンＢ、グラミシジンＤ、臭化エチジウム、エメチン、マイトマイシン、エトポシド、テノポシド、ビンクリスチン、ビンブラスチン、コルヒチン、ドキソルビシン、ダウノルビシン、ジヒドロキシアントラシンジオン、ミトキサントロン、ミスラマイシン、アクチノマイシンＤ、１−デヒドロテストステロン、グルココルチコイド、プロカイン、テトラカイン、リドカイン、プロプラノロール、および／またはピューロマイシンからなる群より選択される細胞毒性物質であることを特徴とする、請求項１〜４に記載の単離されたモノクローナル抗体またはその抗原結合部分。
【請求項６】
さらに、配列番号：２〜配列番号：７のうちの少なくとも１つを含むことを特徴とする、請求項１に記載の単離されたモノクローナル抗体またはその抗原結合部分。
【請求項７】
さらに、配列番号：11〜配列番号：16のうちの少なくとも１つを含むことを特徴とする、請求項１に記載の単離されたモノクローナル抗体またはその抗原結合部分。
【請求項８】
請求項１〜７のいずれかに記載の単離されたモノクローナル抗体またはその抗原結合部分を含む、医薬組成物。
【請求項９】
癌の処置のための医薬調製のための、請求項１〜７いずれかに記載の単離されたモノクローナル抗体またはその抗原結合部分の使用。
【請求項１０】
請求項１〜７のいずれかに記載の単離されたモノクローナル抗体またはその抗原結合部分を含む、腫瘍細胞検出のための診断キット。
【請求項１１】
請求項１〜７のいずれかに記載の単離されたモノクローナル抗体またはその抗原結合部分と、識別されるべき腫瘍細胞とが接触されることを特徴とする、腫瘍細胞のインビトロ識別のための方法。
【請求項１２】
腫瘍細胞の診断識別のための、請求項１〜７のいずれかに記載の単離されたモノクローナル抗体またはその抗原結合部分の使用。
【請求項１３】
配列番号：８、９、17、18、19、21、23および24からなる群のいずれかの配列のうちの少なくとも20ヌクレオチドの連続配列を含むことを特徴とする、単離されたポリヌクレオチド。